(57)【要約】【課題】グローバル・ポジショニング・システム（GPS）と、地理情報システム（GIS）と、ワイヤレス通信サービスとの技術を統合することにより、環境汚染情報を快速に収集し完備することができる移動式環境即時測定システムを提供する。【解決手段】環境測定とデータ処理とを実施し、主に、前端にあるモニタリングプラットホーム１と、後端にあるメーン制御センター２とから構成され、前記モニタリングプラットホーム１は移動用載せ物１４に環境測定計器１１とプジションシステム１２とデータ収集転送システム１３とを載せて構成され、前記メーン制御センター２は地理情報システム２１と、計測管理システム２２とから構成されていることを特徴とする携帯式環境即時測定システム。【選択図】図１
0003118287.tif 000002
【実用新案登録請求の範囲】
【請求項１】
環境測定とデータ処理とを実施し、前端にあるモニタリングプラットホームと、後端にあるメーン制御センターとから構成され、前記モニタリングプラットホームは移動用載せ物に環境測定計器とプジションシステムとデータ収集転送システムとを載せて構成され、前記メーン制御センターは地理情報システムと、計測管理システムとから構成されている携帯式環境即時測定システムにおいて、
前記環境測定計器は、前記移動用載せ物に載せられ、環境汚染を測定し、
前記プジションシステムは、前記移動用載せ物の所在位置の地理座標と時間情報とを収集し、
前記データ収集転送システムは、環境測定計器とプジションシステムとを連結し、且つ前記環境測定計器で測定されたデータと、前記プジションシステムで収集された地理座標及び時間情報とをメーン制御センターへ転送し、メーン制御センターからの命令を受け、各計測プロセスを実施し、又は前記環境測定計器に対して二方向遠隔制御を実施し、
前記地理情報システムは、メーン制御センターに位置し、各計測プロセスと線路とを企画し、前記移動用載せ物のモニタリングと派遣と前記環境測定計器の遠隔制御となどの役割を担当し、計器の計測をモニタリングし、
前記メーン制御センターは、地理情報システムと計測管理システムとを統合して各モニタリングプラットホームのモニタリングと派遣管理とを実施し、大区域のモニタリング任務では、前記メーン制御センターは一つのメーン・モニタリング・センターと、多数の区域モニタリング・センターとから構成され、メーン・モニタリング・センターは各モニタリングプラットホームの相互の情報交換を担当し、区域モニタリング・センターは記録した資料を表示し、且つメーン・モニタリング・センターを通じて各モニタリングプラットホームと情報交換をすることを特徴とする移動式環境即時測定システム。
【請求項２】
前記環境測定計器は、輻射モニターであることを特徴とする請求項１に記載の移動式環境即時測定システム。
【請求項３】
前記データ収集転送システムは、個人用デジタル補佐（PDA）を主体とし、環境測定計器とプジションシステムとを連結し、前記個人用デジタル補佐（PDA）は環境測定計器で測定されたデータを収集し、移動式データ通信ネットワークにより環境輻射レベルと、移動用載せ物の地理座標と時間情報とをメーン制御センター、又は他の転送すべき装置へ即時に転送し、前記個人用デジタル補佐（PDA）はメーン制御センターからの命令を受け、各計測プロセスを実施し、又は前記環境測定計器に対して二方向遠隔制御を実施し、前記個人用デジタル補佐（PDA）はTCP/IP通信協定または短信号転送モードでメーン制御センターへ測定されたデータを転送することを特徴とする請求項１に記載の移動式環境即時測定システム。
【請求項４】
移動式データ通信ネットワークには、PHS、GPRS、CDMA、WCDMA、WiMAXなどの公衆通信サービスネットワークの何れか一つを採用することを特徴とする請求項１に記載の移動式環境即時測定システム。
【考案の詳細な説明】
【技術分野】
【０００１】
本考案は、移動式環境即時測定システムに係り、特に、環境汚染物を移動式で測定することができ、グローバル・ポジショニング・システム（Global Positioning System,GPS）でポジショニングし、環境汚染の測定データをワイヤレス通信サービスを通じて地理情報システム（Geography Information System,GIS）へ即時に転送して処理して表示する移動式環境即時測定システムに関するものである。
【背景技術】
【０００２】
図４に示すのは従来の環境汚染測定システムである。従来では公衆モバイル通信ネットワーク（例えばGPRS、CDMAなど）が発達していないので、例えば従来の環境輻射モニタリングシステムで測定したデータは輻射モニター自身のメモリーに記憶させ、又は測定現場にコンピューター８を設置して、測定したデータをハードディスクに記憶させ、モデム９によりデータを転送する。
【０００３】
しかしながら、従来の測定システムの使用は不便であり、且つ即時にデータを転送することができず、環境輻射は即時にモニタリングすることはできなかった。
近年、グローバル・ポジショニング・システム（GPS）と地理情報システム（GIS）と移動式データ通信ネットワーク（GPRS、CDMA、WCDMA、WiMAXなど）との技術が大幅に発達して成熟になったので、環境汚染測定システムを改善する必要がある。現在のGPSとCDMAなどの技術を環境汚染モニタリングに応用すれば、環境汚染のモニタリングを移動式で行うことができると共に、情報のリアルタイム性も向上するので、各種の環境汚染事故が発生したときに、即時な対応ができるようになる。一方、環境輻射測定データをGISシステムの情報と結合すると、環境輻射モニタリングのデータ処理の品質と速度とが向上し、輻射測定データベースの作り上げが便利になり、環境輻射モニタリングの効率も良くなる。
【０００４】
現在、日本と台湾などの国家のモバイル通信は極めて便利であり、通信できる範囲が極めて広くなった。本考案に係るシステムによれば、何時でも指定した所に快速に到達することができ、環境輻射モニタリングの任務を実施し、前記任務が完成したときに、測定したデータを即時に回送して、GIS電子マップにより表示する。このような環境汚染測定結果は従来のものよりも、もっと快速で即時の結果になり、且つ地理情報システムと統合すると、情報の表示はもっと明確になる。一方、情報処理が自動化されたので、人工処理によるミスがなくなり、且つ転送過程も自動化されたので、データの信頼性が向上する。且つGISシステムの統合を通じて、データの後続きの分析と応用はもっと効果的になる。
【考案の開示】
【考案が解決しようとする課題】
【０００５】
本考案の主な目的は、グローバル・ポジショニング・システム（Global Positioning System,GPS）と、地理情報システム（Geography Information System,GIS）と、ワイヤレス通信サービスとの技術を統合することにより、環境汚染情報を快速に収集し完備することができる移動式環境即時測定システムを提供することにある。
【課題を解決するための手段】
【０００６】
上記目的を達成するためになされた本考案は、環境測定とデータ処理とを実施し、主に、前端にあるモニタリングプラットホームと、後端にあるメーン制御センターとから構成されたものであり、前記モニタリングプラットホームは移動用載せ物に環境測定計器とプジションシステムとデータ収集転送システムとを載せて構成されたものであり、前記メーン制御センターは地理情報システムと、計測管理システムとから構成されたものである携帯式環境即時測定システムにおいて、前記環境測定計器は前記移動用載せ物に載せられ、環境汚染を測定し、前記プジションシステムは前記移動用載せ物の所在位置の地理座標と時間情報とを収集し、前記データ収集転送システムは環境測定計器とプジションシステムとを連結するためのものであり、且つ前記環境測定計器で測定したデータと、前記プジションシステムで収集した地理座標及び時間情報とをメーン制御センターへ転送し、メーン制御センターからの命令を受けて、各計測プロセスを実施し、又は前記環境測定計器に対して二方向遠隔制御を実施し、前記地理情報システムは、メーン制御センターに位置し、各計測プロセスと線路とを企画し、前記移動用載せ物のモニタリングと派遣と前記環境測定計器の遠隔制御となどの役割を担当し、計器の計測をモニタリングし、前記メーン制御センターは、地理情報システムと計測管理システムとを統合して、各モニタリングプラットホームのモニタリングと派遣管理とを実施し、大区域のモニタリング任務では、前記メーン制御センターは一つのメーン・モニタリング・センターと、多数の区域モニタリング・センターとから構成され、メーン・モニタリング・センターは各モニタリングプラットホームの相互の情報交換を担当し、区域モニタリング・センターは記録した資料を表示し、且つメーン・モニタリング・センターを通じて各モニタリングプラットホームと情報交換をすることもできることを特徴とする移動式環境即時測定システムであることを要旨としている。
【０００７】
本考案に係る移動式環境即時測定システムによれば、次のような効果がある。
（１）直接輻射モニターのHPIC高圧遊離チェンバーを連結の実験対象とするので、計器の正確度と安定性とが良いと共に、台湾の環境輻射測定規定によれば、輻射量のモニタリング計器も前記HPIC高圧遊離チェンバーを指定使用し、台湾の原子力研究所と測定センターと原子力発電所とは環境輻射測定システムにHPICを共同に採用したので、本考案で測定したデータは各機構で共通に使用できる。
【０００８】
（２）現在の計器を改装するだけで、移動式環境即時測定システムを作り上げることができるので、極めて経済的である。
（３）CDMAとGPRSとのデータ転送方式は、即時で快速であり、情報量によって転送速度を調整できる。通信料は転送された情報量によって決められるので、データを転送しなければ、通信料が取られず、極めて経済的である。
【考案を実施するための最良の形態】
【０００９】
以下、添付図面を参照して本考案の好適な実施の形態を詳細に説明する。
まず、図１乃至図３を参照する。図面に示した実施例は、本考案を説明するために挙げたものであり、本考案を限定するためのものではない。
図１に示すのは本考案の一実施例に係る移動式環境即時測定システムであり、それは、環境測定と情報収集との任務を担当し、主に、移動自在なモニタリングプラットホーム１と、メーン制御センター２とから構成されたものである。
【００１０】
前記モニタリングプラットホーム１は移動用載せ物１４を有し、本実施例では、前記移動用載せ物１４が移動自在な自動車であり、前記移動用載せ物１４に環境測定計器１１とプジションシステム１２とデータ収集転送システム１３とが載せてある。前記メーン制御センター２は、地理情報システム２１と、計測管理システム２２とから構成されている。
【００１１】
前記環境測定計器１１は環境汚染をモニタリングするための計器であり、本実施例では、前記環境測定計器１１は、前記移動用載せ物に載せられた輻射モニター（HPIC）であり、環境輻射のレベルを測定するためのものである。
前記プジションシステム１２は、前記移動用載せ物の所在位置の地理座標と時間情報とを収集し、前記移動用載せ物に載せられ、本実施例では、前記プジションシステム１２がGPS接収装置である。
【００１２】
前記データ収集転送システム１３は、環境測定計器１１とプジションシステム１２とを連結するためのものであり、且つ前記環境測定計器１１で測定したデータと、前記プジションシステム１２で収集した地理座標と時間情報とをメーン制御センター２へ転送する。図３に示すように、本実施例では、前記データ収集転送システム１３は、個人用デジタル補佐（PDA）１３１を主体とし、RS-232  PDAシリアルコネクターにより環境測定計器１１と連結し、且つ二CFコネクターによりGPSとGPRSとを連結する。前記個人用デジタル補佐（PDA）１３１はTCP/IP通信協定または短信号（SMS）転送モードで、測定したデータを特定装置に転送する。個人用デジタル補佐（PDA）を連結するための装置とする理由は、測定システム全体の移動性が向上し、且つ製造コストも低減できることにある。一方、GPRSのワイヤレス通信サービスの採用は、現地の通信品質と転送速度とを考慮すべきである。
【００１３】
前記個人用デジタル補佐（PDA）１３１内には適当なプログラムを有し、前記プログラムにより、環境測定計器１１とプジションシステム１２とGPRSとが起動され、且つ収集した地理座標と時間情報とデータとをメーン制御センター２、又は他の転送すべき装置に転送する。一方、前記個人用デジタル補佐（PDA）１３１もメーン制御センター２からの命令を受けて、各計測プロセスを実施し、又は前記環境測定計器に対して二方向遠隔制御を実施する。
【００１４】
前記地理情報システム２１は、メーン制御センター２に位置し、全ての測定ポイントでの情報を統合して表示する。なお、前記地理情報システム２１は、各計測プロセスと線路とを企画し、前記移動用載せ物１４のモニタリングと派遣と前記環境測定計器１１の遠隔制御となどの役割を担当する。
【００１５】
前記メーン制御センター２は、地理情報システム２１と計測管理システム２２とを統合して、各モニタリングプラットホーム１（本実施例では自動車）のモニタリングと派遣管理とを実施し、大区域のモニタリング任務に応用された場合には、前記メーン制御センター２は、一つのメーン・モニタリング・センターと、多数の区域モニタリング・センターとから構成され、メーン・モニタリング・センターは各モニタリングプラットホーム１の相互の情報交換を担当し、区域モニタリング・センターは、記録した資料を表示し、且つメーン・モニタリング・センター２を通じて各モニタリングプラットホーム１と情報交換をすることもできる。
【００１６】
上記機能を達成するための装置と信号連結方式とを図１に示す。本実施例の実際使用のフローチャートを図２に示す。モニタリングプラットホーム１はメーン・モニタリング・センター２からの路線命令に従って測定点に行き、且つ適当な時点で個人用デジタル補佐（PDA）１３１が起動されて計測プロセス（例えば計測の時間間隔と密度）を計画する。測定点の移動中の計器信号と、GPS情報と、他の転送すべき情報とは、個人用デジタル補佐（PDA）１３１によってCDMAとGPRSとを統合して移動式通信モジュールを形成することにより、メーン・モニタリング・センター２に即時に転送される。一方、モニタリングプラットホーム１の移動用載せ物１４に人員と輻射測定計器とを載せて出発し移動式輻射測定作業を実施する場合には、人員とモニタリングプラットホーム１とはワイヤレス・ネットワーク・ステーションを形成し、モニタリングプラットホーム１とメーン・モニタリング・センター２との間では、CDMAとGPRSとのモバイル通信技術を利用して、ワイヤレス・ネットワーク技術により、測定されたデータがメーン・モニタリング・センター２に即時に転送され、メーン・モニタリング・センター２はリアルタイムな情報を把握して管理対策と応急処置とを実施することができる。
【図面の簡単な説明】
【００１７】
【図１】本考案の一実施例に係る移動式環境即時測定システムを示す模式図である。
【図２】本考案の一実施例に係る移動式環境即時測定システムの実際使用のフローチャートである。
【図３】本考案の一実施例に係る移動式環境即時測定システムのデータ収集転送システムを示す模式図である。
【図４】従来の輻射モニタリングシステムを示す模式図である。
【符号の説明】
【００１８】
１  モニタリングプラットホーム、２  メーン制御センター、７  輻射モニター、８  コンピューター、９  モデム、１１  環境測定計器、１２  プジションシステム、１３  データ収集転送システム、１４  移動用載せ物、２１  地理情報システム、２２  計測管理システム、１３１  個人用デジタル補佐（PDA）
【図１】
0003118287.tif 000003
【図２】
0003118287.tif 000004
【図３】
0003118287.tif 000005
【図４】
0003118287.tif 000006